(57)【要約】【課題】画像記録された記録媒体を高品質なまま巻き取ることのできる記録媒体巻取り装置を提供する。【解決手段】画像が記録された長尺の記録媒体Ｐを巻き取る記録媒体巻取り装置１におい  て、記録媒体Ｐを巻き取る巻取りローラ９と、巻取りローラ９を駆動させるローラ駆動  モータ２０を備えるとともに、巻取りローラ９よりも記録媒体搬送方向Ｘの上流に記録  媒体Ｐの非画像記録面に接触し記録媒体Ｐに一定のテンションを付与するテンションロ  ーラ１４を設け、テンションローラ１４の表面を粘着性のある材料によって形成した。【選択図】図１
2005212916.tif 000002
【特許請求の範囲】
【請求項１】
長尺の記録媒体を巻き取る記録媒体巻取り装置において、
前記記録媒体を巻き取る巻取りローラと、巻取りローラを駆動させるローラ駆動機構を備えるとともに、巻取りローラよりも記録媒体搬送方向の上流に前記記録媒体の非画像記録面に接触し前記記録媒体に一定のテンションを付与するテンションローラを設け、前記テンションローラの表面を粘着性のある材料によって形成したことを特徴とする記録媒体巻取り装置。
【請求項２】
前記巻取りローラよりも記録媒体搬送方向の上流に設けられるローラは、前記テンションローラのみであることを特徴とする請求項１に記載の記録媒体巻取り装置。
【請求項３】
前記テンションローラに、前記テンションローラの回転トルクを調節するトルク調節機構を設けたことを特徴とする請求項１又は２に記載の記録媒体巻取り装置。
【請求項４】
前記テンションローラよりも記録媒体搬送方向の上流に、前記記録媒体の弛み量を検知するセンサを設け、前記センサの位置を記録媒体搬送方向と直交する方向に移動させるセンサ移動機構を設けるとともに、前記ローラ駆動機構は前記センサによって検知された前記記録媒体の弛み量に応じて前記巻取りローラによる記録媒体の巻取りを開始させることを特徴とする請求項１から３のいずれか一項に記載の記録媒体巻取り装置。
【請求項５】
前記記録媒体は、画像記録装置によって画像記録が行われた布帛であることを特徴とする請求項１から４のいずれか一項に記載の記録媒体巻取り装置。
【請求項６】
前記巻取りローラによって前記記録媒体とともに巻き取られる補助材が巻回された補助材ローラを巻取りローラよりも上方に設けたことを特徴とする請求項１から５のいずれか一項に記載の記録媒体巻取り装置。
【発明の詳細な説明】
【技術分野】
【０００１】
本発明は、インクジェットプリンタ等の画像記録装置により出力された記録媒体を巻き取る記録媒体巻取り装置に関するものである。
【背景技術】
【０００２】
従来、インクジェットプリンタ等の画像記録装置によって布帛等の長尺な記録媒体に対する画像記録が行われており、画像記録後の記録媒体をロールに巻き取る記録媒体の巻取り装置が知られている。このような記録媒体巻取り装置においては、画像記録が行われた記録媒体を傷つけることなく高品質のままロール状の製品に仕上げるために種々の工夫を行うことが必要となる。
【０００３】
すなわち、長尺な記録媒体をロールに巻き取る場合には、巻き取られる記録媒体の表面全体に適度なテンションがかかっていないと、しわやよじれ等を生じるおそれがある。このため、適度なテンションをかけつつ記録媒体を水平に保持して巻き取りを行うことが必要となる。
【０００４】
そこで、従来より、画像記録後の記録媒体を巻き取る記録媒体巻取り装置としては記録媒体を画像記録面、非画像記録面の両面から挟持する一対のローラを設けて記録媒体を保持しつつ記録媒体の巻取りを行う装置が知られている（例えば、特許文献１及び特許文献２参照）。
【０００５】
また、画像記録後の記録媒体をロール状に巻き取る場合には、巻き取った記録媒体が互いに接触しあうと画像記録面を傷つけてしまうおそれがあり、記録媒体が布帛である場合には、張力をかけて巻回すると布帛がもとに戻ろうとする力が生じて布帛が互いに擦れ合い傷みを生じるおそれがある。しかし、これでは画像記録装置によって高画質の画像記録を行っても無駄になってしまう。
【０００６】
このため、巻き取られた後で記録媒体が擦れあうことのないように、従来より合紙等の補助材を記録媒体とともに巻き込みながら巻き取りを行う記録媒体巻取り装置が提案されている（例えば、特許文献３参照）。
【特許文献１】特開平１０−１４７４６２号公報
【特許文献２】特開２００１−７２２８５号公報
【特許文献３】特開平１１−３０１８９２号公報
【発明の開示】
【発明が解決しようとする課題】
【０００７】
しかしながら、インクジェットプリンタ等の画像記録装置による画像記録が行われた直後の記録媒体は画像記録面のインクが乾いていない場合があり、記録媒体を巻き取る際に記録媒体を画像記録面、非画像記録面の両面から挟持するローラを設けて記録媒体を保持させた場合には、画像記録面がローラに接触してインクがローラに付着するとともに、ローラに付着したインクが記録媒体に再付着して記録媒体の画像記録面に汚れを生ずるおそれがあるという問題がある。
【０００８】
また、合紙等の補助材を記録媒体とともに巻き込みながら巻き取る装置の場合、従来は、補助材を巻回した補助材ローラを巻取りローラの下方に配置するのが通常であり、このような構成とすると、記録媒体の巻取り動作の途中で補助材がなくなった場合に補助材ローラの交換に手間が掛かり、補助材のないまま記録媒体が巻き取られてその画像記録面が傷つけられたり、補助材を補給するために画像記録装置の画像記録動作を中断しなければならなくなるおそれがあるとの問題があった。
【０００９】
そこで、本発明は以上のような課題を解決すべくなされたものであり、画像記録された記録媒体を高品質なまま巻き取ることのできる記録媒体巻取り装置を提供することを目的とするものである。
【課題を解決するための手段】
【００１０】
このような問題を解決するため、請求項１に記載されている発明は、長尺の記録媒体を巻き取る記録媒体巻取り装置において、
前記記録媒体を巻き取る巻取りローラと、巻取りローラを駆動させるローラ駆動機構を備えるとともに、巻取りローラよりも記録媒体搬送方向の上流に前記記録媒体の非画像記録面に接触し前記記録媒体に一定のテンションを付与するテンションローラを設け、前記テンションローラの表面を粘着性のある材料によって形成したことを特徴としている。
【００１１】
このような構成を有する請求項１に記載の発明は、ローラ駆動機構により駆動する巻取りローラよりも記録媒体搬送方向の上流に配置されるテンションローラは粘着性を有しているので、このテンションローラを記録媒体の非画像記録面に接するように配置することにより記録媒体を支持し、一定のテンションをかけることができるようなっている。
【００１２】
請求項２に記載されている発明は、請求項１に記載の記録媒体巻取り装置において、前記巻取りローラよりも記録媒体搬送方向の上流に設けられるローラは、前記テンションローラのみであることを特徴としている。
【００１３】
このような構成を有する請求項２に記載の発明は、記録媒体を支持し、画像記録装置から排出された記録媒体を一つのテンションローラによって支持することができるようになっている。
【００１４】
請求項３に記載されている発明は、請求項１又は２に記載の記録媒体巻取り装置において、前記テンションローラに、前記テンションローラの回転トルクを調節するトルク調節機構を設けたことを特徴としている。
【００１５】
このような構成を有する請求項３に記載の発明は、テンションローラの回転トルクをトルク調節機構によって調節することができるようになっている。
【００１６】
請求項４に記載されている発明は、請求項１から３のいずれか一項に記載の記録媒体巻取り装置において、前記テンションローラよりも記録媒体搬送方向の上流に、前記記録媒体の弛み量を検知するセンサを設け、前記センサの位置を記録媒体搬送方向と直交する方向に移動させるセンサ移動機構を設けるとともに、前記ローラ駆動機構は前記センサによって検知された前記記録媒体の弛み量に応じて巻取りローラによる記録媒体の巻取りを開始させることを特徴としている。
【００１７】
このような構成を有する請求項４に記載の発明は、記録媒体の弛み量を検知するセンサによって検知された結果に基づいて巻取りローラによる記録媒体の巻取りを開始させるようになっている。
【００１８】
請求項５に記載されている発明は、請求項１から４のいずれか一項に記載の記録媒体巻取り装置において、前記記録媒体は、画像記録装置によって画像記録が行われた布帛であることを特徴としている。
【００１９】
このような構成を有する請求項５に記載の発明は、画像記録装置による画像記録が行われた記録媒体が布帛である場合にも、適切なテンションをかけて巻き取ることができるようになっている。
【００２０】
請求項６に記載されている発明は、請求項１から５のいずれか一項に記載の記録媒体巻取り装置において、前記巻取りローラによって前記記録媒体とともに巻き取られる補助材が巻回された補助材ローラを巻取りローラよりも上方に設けたことを特徴としている。
【００２１】
このような構成を有する請求項６に記載の発明は、補助材ローラが巻取りローラよりも上方に設けられているので、補助材の交換、補給を容易に行うことができるようになっている。
【発明の効果】
【００２２】
請求項１に記載された発明によれば、画像記録装置から排出された記録媒体にテンションを付与するテンションローラは記録媒体を非画像記録面側のみから支持するので、記録媒体巻取り装置によって巻き取られる記録媒体が画像記録直後に排出されインクが乾ききっていない記録媒体であってもインクがローラに付着することがない。したがって、ローラに付着したインクが記録媒体に再付着することもなく、高品質の画像記録面を維持したまま記録媒体を巻き取ることができるという効果を奏する。
【００２３】
請求項２に記載された発明によれば、巻取りローラよりも記録媒体搬送方向の上流側に、記録媒体を支持し一定のテンションを付与するテンションローラを一つしか設けないことにより、記録媒体が未乾燥の状態で記録媒体巻取り装置に送られてきた場合であっても記録媒体の画像記録面のインクが他のローラに付着することを防止することができる。このため、ローラに付着したインクが記録媒体に再付着することもなく、高品質の画像記録面を維持したまま記録媒体を巻き取ることができるという効果を奏する。
【００２４】
また、ローラの数が少なくてすむため、装置構成を簡易化し装置の小型化をはかりつつ高精度の巻取り動作を行うことできるという効果を奏する。
【００２５】
請求項３に記載された発明によれば、テンションローラの回転トルクを調節することができるので、きつく巻回しても問題を生じない記録媒体については強いテンションをかけながらきつく巻回して巻き上がり後のロールの大きさを小さくし、きつく巻回すると生地を傷める等のおそれのある記録媒体については低いテンションをかけて緩く巻回するというように記録媒体の性質に応じて記録媒体の巻き取り具合の調節を図ることができる。このため、様々な記録媒体に対して最適なテンションでの巻取り動作を行うことができるという効果を奏する。
【００２６】
請求項４に記載された発明によれば、画像記録装置と記録媒体巻取り装置との間に生じる記録媒体の弛み量をセンサによって検知して、この記録媒体の弛みを利用して記録媒体に対して適切なテンションをかけることができる。このため、記録媒体の種類に関わらず巻取りローラとテンションローラとの間に張設された記録媒体のテンションを適切に保つことができ、記録媒体を巻き取る際に記録媒体にしわが発生することを防止して高精度の巻取り動作を行うことができるという効果を奏する。
【００２７】
請求項５に記載された発明によれば、画像記録が行われた記録媒体が布帛である場合、布帛の重量等に応じて適切なテンションをかけて巻取りを行うことができ、高品質の画像記録面を保ったまま記録媒体の巻き取りを行うことができるという効果を奏する。
【００２８】
請求項６に記載された発明によれば、補助材ローラが巻取りローラよりも上方に設けられているので、補助材の交換、補給を容易に行うことができ、記録媒体を順次巻き取りながら画像記録装置によって画像記録を行う場合に画像記録動作の途中で補助材がなくなった場合でも画像記録動作を中断することなく補助材を容易に交換、補給することができる。このため、補助材が切れたまま巻取り動作が行われることを防止でき、記録媒体の巻取り動作を高精度かつ効率的に行うことができるという効果を奏する。
【発明を実施するための最良の形態】
【００２９】
以下、図面を参照しつつ本発明に係る記録媒体巻取り装置の一実施形態について説明する。
【００３０】
まず、図１に示すように、本実施形態における記録媒体巻取り装置１は、記録媒体Ｐとしての記録媒体Ｐに対して画像記録を行う画像記録装置２によって画像記録が行われた後に、画像が記録された記録媒体Ｐを巻き取る装置である。画像記録装置２は、例えば、所定の画像情報に基づいて記録媒体Ｐ上にインクを吐出させて画像を記録するインクジェット方式の画像記録装置２であり、長尺な記録媒体Ｐに対して順次所定の画像記録を行うようになっている。なお、画像記録装置２はインクジェット方式のものに限られず、長尺な記録媒体Ｐに対して画像記録を行うことのできるものであればよい。画像記録装置２には、画像記録装置２の長手方向に延在し画像記録が行われた記録媒体Ｐを排出する排出口３が設けられており、記録媒体巻取り装置１は、画像記録装置２の排出口３から送り出される記録媒体Ｐの搬送方向Ｘの下流側に設置されている。
【００３１】
記録媒体巻取り装置１は、画像記録装置２の排出口３の近傍に配置されており、画像記録装置２の排出口３よりも長い幅寸法を有する装置支持台４を備えている。装置支持台４には記録媒体巻取り装置１を移動させるための車輪５と巻取り動作時には床面に接して記録媒体巻取り装置１を固定させるとともに移動時には床面から離隔されるように伸縮自在な脚部６とが取り付けられている。
【００３２】
また、装置支持台４の幅方向の両端には一対の装置側壁７，７が装置支持台４に対してほぼ垂直に取り付けられている。
【００３３】
各装置側壁７，７の画像記録装置２から離間した側であって上下方向のほぼ中央部には、記録媒体Ｐの送り方向の下流側から上流側に向かって第一切り欠き部８，８が形成されている。第一切り欠き部８，８には図示しない軸受けが設けられており、この軸受けには巻取りローラ９の回転軸１０が回転自在に支持されている。巻取りローラ９の回転軸１０の一端にはローラ駆動機構としてのローラ駆動モータ２０が接続されており、巻取りローラ９はローラ駆動モータ２０が駆動することによって回転駆動するようになっている。画像記録装置２から排出された記録媒体Ｐの端部は巻取りローラ９に係止されており、巻取りローラ９が回転駆動することによって記録媒体Ｐを巻取り可能となっている。
【００３４】
また、装置側壁７，７の第一切り欠き部８，８の上方には、図１に示す上方向から下方向に向かってほぼ垂直に切り欠かれた第二切り欠き部１１，１１が形成されている。各装置側壁７，７の第二切り欠き部１１，１１にはそれぞれ図示しない軸受けが設けられており、この軸受けには記録媒体Ｐを巻き取る際に記録媒体Ｐとともに巻き取られる補助材Ｈが巻回された補助材ローラ１２の回転軸１３が回転自在に支持されている。補助材Ｈは、巻取りローラ９によって巻き取られた記録媒体Ｐの画像記録面が記録媒体Ｐの非画像記録面に接触することによって傷がついたりすることを防止するために記録媒体Ｐ同士が直接接触しないように間に挟みこまれるものである。補助材Ｈは、例えば合紙等のシート状のものであり、記録媒体Ｐとほぼ同じ幅寸法を有している。
【００３５】
また、装置側壁７，７の上部であって補助材ローラ１２よりも記録媒体搬送方向Ｘの上流側には記録媒体Ｐに非記録面側から接触し、一定のテンションを付与しつつ保持するテンションローラ１４が回転自在に設けられている。
【００３６】
テンションローラ１４の表面は、樹脂等の粘着性の高い材料によって形成されており、記録媒体Ｐとテンションローラ１４との間で摩擦力を生じることによって記録媒体Ｐに一定のテンションがかかるようになっている。なお、テンションローラ１４はその表面が記録媒体Ｐとの間で摩擦力を生じるような状態となっていればよく、テンションローラ１４全体を粘着性のある材料によって形成してもよく、また、テンションローラ１４自体は金属で形成しつつ、その表面を粘着性のある材料によって覆うようにしてもよい。ここで、、粘着性のある材料としては、例えば、ノンスリップベルト（持田商工株式会社製）、または、これに相当する程度の粘着性を有する材料を用いることができる。なお、粘着性のある材料としてはこれに限定されず、記録媒体Ｐとテンションローラ１４との間で摩擦力を生じるような材料であれば適用することが可能である。
【００３７】
テンションローラ１４の回転軸１５の一端にはテンションローラ１４の回転トルクを調節するトルク調節機構２１（図２参照）が設けられている。トルク調節機構２１は、例えば、回転軸１５に取り付けられた摩擦板（図示せず）と回転軸１５に固定され摩擦板とテンションローラ１４との間に配置される側板（図示せず）とを有しており、摩擦板を側板に対して接離させることによってテンションローラ１４の回転トルクを調節可能となっている。すなわち、側板に対して摩擦板を強く押圧させればそれだけ回転軸１５の回転に対して大きな負荷が掛かり、大きな力を加えなければテンションローラ１４が回転しない。逆に、押圧力を弱めれば回転軸１５に対する負荷が小さくなり、テンションローラ１４は小さな力でも回転する。このため、テンションローラ１４と巻取りローラ９との間に張設される記録媒体Ｐに大きなテンションを付与したい場合には摩擦板を側板に対して強く押圧させて回転トルクを大きくし、記録媒体Ｐに付与するテンションを小さくしたい場合には側板に対する押圧を解除させて回転トルクを小さくするようになっている。なお、トルク調節機構２１は、テンションローラ１４の回転軸１５の回転トルクを調節することができるものであればよく、その構成は本実施形態に例示したものに限定されない。
【００３８】
画像記録装置２の排出口３から排出された記録媒体Ｐは、テンションローラ１４によって保持され巻取りローラ９に向かって搬送されるが、排出口３から排出されてから巻取り装置による巻き取りが開始されるまでの間、画像記録装置２と記録媒体巻取り装置１との間で自重によって垂下し、画像記録装置２と記録媒体巻取り装置１のテンションローラ１４との間に記録媒体Ｐの弛みを生ずるようになっている。各装置側壁７，７の画像記録装置２に対向する一側端には、この記録媒体Ｐの弛み量を検知するためのセンサとして弛み検知センサ１６が設けられている。この弛み検知センサ１６は、例えば、赤外線などの光を発する発光素子を内蔵する発光器と発光器から発せられた光を感知する受光素子を内蔵する受光器とからなる光センサであり、一方の装置側壁７，７に発光器、他方の装置側壁７，７に受光器が、発光器の発光面（図示せず）と受光器の受光面（図示せず）とが互いに対向するように設けられている。受光器は発光器から照射された光を受光するようになっているが、画像記録装置２から排出された記録媒体Ｐが自重によって徐々に垂下し発光器と受光器との間を通過すると発光器から照射された光が記録媒体Ｐに遮られて受光器によって受光されない。画像記録装置２と記録媒体巻取り装置１との間に形成される記録媒体Ｐの弛みの量は記録媒体Ｐが多く垂下するほど大きくなるため、記録媒体Ｐの弛み位置を弛み検知センサ１６によって検知することにより記録媒体Ｐの弛み量を把握することができる。これにより、記録媒体Ｐが所定の位置まで垂下し、記録媒体Ｐにテンションをかけるのに適した量の弛みが形成されたことを検知することができるようになっている。
【００３９】
また、装置側壁７，７には図１に示す上下方向に沿って図示しないガイドレールが設けられている。弛み検知センサ１６は、発光器と受光器の高さがほぼ同じになるように保ちつつ、センサ移動機構１９（図２参照）により、例えば、図１に示すａの位置からｂの位置までガイドレールに沿って上下に移動可能となっている。
【００４０】
次に、図２を参照しつつ、本実施形態における記録媒体巻取り装置１の制御構成について説明する。
【００４１】
画像記録装置２は、ユーザーが記録媒体Ｐの種類や記録媒体Ｐの巻き上がりの程度等を入力する入力部１７を有しており、入力部１７や図示しない外部の端末装置から入力された情報は、制御部１８に送られるようになっている。入力部１７は、例えばキーボードや操作パネルであり、ユーザーは操作ボタン等を選択することにより記録媒体Ｐの種類等を選択できるようになっている。
【００４２】
また、制御部１８には記録媒体Ｐの種類ごとに最適なテンションとそのテンションを得るために確保すべき弛み量が記憶されており、入力部１７等から記録媒体Ｐの種類が入力された場合には、制御部１８は入力された記録媒体Ｐに対してどの程度のテンションを付与するのが適当か、及び、その記録媒体Ｐの重量を勘案した場合どの程度の弛み量を確保すればその記録媒体Ｐに適度なテンションを付与することができるかを判断するようになっている。すなわち、記録媒体Ｐに適度なテンションが付与されていないと記録媒体Ｐを巻き取る際によれやしわを生じることとなる。他方で、記録媒体Ｐに付与されるテンションが強すぎると記録媒体Ｐが伸びて表面に記録されている画像に歪みを生じたり、記録媒体Ｐ自体が傷む等のおそれがある。また、同じテンションを得たい場合でも、例えば、重量の重い記録媒体Ｐの場合には少ない弛み量で十分なテンションを付与することができるのに対し、重量の軽い記録媒体Ｐの場合には弛み量を多くしないと十分なテンションを付与することができない。このため、制御部１８は入力部等から入力された情報に基づき記録媒体の弛み量を調整し、これによりそれぞれの記録媒体に対して最適なテンションを保つことができるようになっている。
【００４３】
また、制御部１８は入力部１７から入力された情報等に基づいてセンサ移動機構１９を制御し弛み検知センサ１６の位置を調節するようになっている。すなわち、弛み検知センサ１６は画像記録装置２の排出口３から排出され垂下していく記録媒体Ｐが弛み検知センサ１６の間を通過した際に記録媒体Ｐの位置を検知するので、制御部１８は、適切なテンションを確保するために必要な弛み量となる位置を記録媒体Ｐが通過したときに記録媒体Ｐを検知できる位置に弛み検知センサ１６を移動させるようになっている。したがって、たとえば、適切なテンションを確保するために少ない弛み量で足りる場合には、制御部１８は弛み検知センサ１６を図１に示すａの位置に移動させて少ない弛み量の記録媒体Ｐを検知できるようにるようになっている。また、適切なテンションを確保するために大きな弛み量が必要とされる場合には、制御部１８は弛み量の多い記録媒体Ｐを検知できるように弛み検知センサ１６を図１に示すｂの位置に移動させるようになっている。
【００４４】
制御部１８には、弛み検知センサ１６から電気信号が送られるようになっており、画像記録装置２から排出された記録媒体Ｐが順次垂下して画像記録装置２と記録媒体巻取り装置１との間で弛みを形成し、垂下してきた記録媒体Ｐを弛み検知センサ１６が検知すると、制御部１８は、記録媒体Ｐが所定の弛み位置まで垂下し、テンションを付与するために必要な弛み量が確保されたと判断する。そして、制御部１８は、ローラ駆動モータ２０を制御して巻取りローラ９を駆動させ、記録媒体Ｐを巻き取るようになっている。
【００４５】
さらに、制御部１８は、入力部１７から入力された記録媒体Ｐの巻き上がり程度に応じて、トルク調節機構２１を制御して側板に対して押圧する摩擦板の押圧力を調整しテンションローラ１４の回転トルクを調節するようになっている。すなわち、記録媒体Ｐをきつく巻いて一つのローラに仕上げたい場合にはテンションローラ１４の回転トルクを上げて記録媒体Ｐが巻取りローラ９とテンションローラ１４との間にきつく張設するようになっており、記録媒体Ｐを緩く巻くように仕上げたい場合にはテンションローラ１４の回転トルクを低くして巻取りローラ９とテンションローラ１４との間に張設された記録媒体Ｐにかかるテンションが高くなり過ぎないようにするようになっている。
【００４６】
次に、本実施形態における記録媒体巻取り装置１の作用について説明する。
【００４７】
入力部１７から記録媒体Ｐの種類等の記録媒体Ｐの巻取り条件が入力されると、制御部１８は、記録媒体Ｐの種類等に応じて必要とされる弛み量を検知できる位置に弛み検知センサ１６を移動させる。すなわち、例えば、少ない量の弛み量でよい場合には、弛み検知センサ１６を図１に示すａの位置に移動させ、多くの弛み量が必要な場合には、弛み検知センサ１６を図１に示すｂの位置に移動させる。画像記録装置２によって画像記録が行われると、記録媒体Ｐは排出口３から排出され、しばらくは巻き取られないまま画像記録装置２と記録媒体巻取り装置１との間で自重によって垂下し、弛みを生ずる。記録媒体Ｐが所定の弛み位置まで垂下して弛み検知センサ１６によって検知されると、制御部１８はローラ駆動モータ２０を駆動させて巻取りローラ９を回転させ、記録媒体Ｐの巻取りを開始する。この際、巻取りローラ９の上方に位置する補助材ローラ１２に巻回された補助材Ｈの端部は記録媒体Ｐの画像記録面に接しており、巻取りローラ９が回転すると順次補助材ローラ１２から補助材Ｈが送り出されるとともに、補助材Ｈが記録媒体Ｐとともに巻き込まれ、記録媒体Ｐと補助材Ｈとが重ね合わされた状態で巻取りローラ９によって巻き取られる。なお、同時に、制御部１８は入力部１７から入力された巻取り条件に合わせてテンションローラ１４のトルク調節機構２１を制御することによりテンションローラ１４にかかる回転トルクを調節し、巻取りローラ９とテンションローラ１４との間に張設される記録媒体Ｐのテンションが巻取り条件に適したものとなるように制御する。補助材ローラ１２に巻回された補助材Ｈが巻取りローラ９によってすべて巻き取られたときは、ユーザーは巻取り装置を停止させて補助材ローラ１２を第二切り欠き部１１，１１に形成された軸受けから取り外し、新しい補助材ローラ１２をセットする。この間、画像記録装置２から順次排出される記録媒体Ｐは画像記録装置２と記録媒体巻取り装置１との間に垂下して弛みとなる。巻取り動作が再開されたときは、制御部１８はローラ駆動モータ２０を制御して記録媒体Ｐが所定の弛み量になるように巻取りローラ９を回転駆動させ、常に記録媒体Ｐの弛み量が一定となるように記録媒体Ｐの巻取り動作を行う。これにより、画像記録装置２の画像記録動作を中断させることなく補助材ローラ１２を交換し、巻取り動作を続行することができる。
【００４８】
本実施形態によれば、テンションローラ１４が粘着性の材料によって形成されているので、画像記録装置２から排出された記録媒体Ｐをローラ対で挟持することなく一つのテンションローラ１４によって記録媒体Ｐの非画像記録面側のみから支持させることができる。このため、画像記録直後に排出された記録媒体Ｐであってもインクがローラに付着することがなく、ローラに付着したインクが記録媒体Ｐに再付着することもなく、高品質の画像を形成することができる。
【００４９】
また、画像記録装置２と記録媒体巻取り装置１との間に生じる記録媒体Ｐの弛み量を弛み検知センサ１６によって検知して、この記録媒体Ｐの弛み利用して記録媒体Ｐに対して適切なテンションをかけることができるので、記録媒体Ｐを巻き取る際に記録媒体Ｐにしわが発生することを防止することができる。
【００５０】
また、記録媒体Ｐの画像記録面に補助材Ｈを当てながら記録媒体Ｐを巻き取ることができるので、画像記録面に傷等が付くことを防ぐことができるとともに、補助材ローラ１２を巻取りローラ９の上方に位置させたので、記録媒体Ｐを巻き取っている途中で補助材Ｈがなくなった場合でも容易に交換することができ、作業を中断する必要がないため、記録媒体Ｐの巻取り動作を効率よく行うことができる。
【００５１】
なお、本実施形態では、記録媒体Ｐの弛み量を検知する弛み検知センサ１６は無段階に停止可能としたが、例えば、ガイドレール上に重量の重い記録媒体Ｐの場合、重量の軽い記録媒体Ｐの場合等、記録媒体Ｐの種類に応じた複数箇所のセンサ停止位置を設け、入力部１７から記録媒体Ｐの種類を選択的に入力するだけで、それに対応する位置に弛み検知センサ１６を移動させるようにしてもよい。
【００５２】
また、弛み検知センサ１６を設置する位置は、本実施形態に示したものに限らず、記録媒体Ｐの弛み量を検知できる位置であればよい。
【００５３】
さらに、本実施形態では、弛み検知センサ１６は記録媒体Ｐの位置を検知する光センサとしたが、センサの種類はこれに限られず、たとえば、弛みを生じている部分の記録媒体Ｐの重量を測定することによって必要なテンションを得るのに最適な弛み量となっているかを検知するものとしてもよい。
【００５４】
また、本実施形態においは、補助材Ｈとしてシート状の合紙を例示したが、補助材Ｈとしては、紙の他、ポリスチレン、ポリエステル等のフィルム、その他、巻回された記録媒体Ｐを解反した際に記録媒体Ｐから剥離しやすく記録媒体Ｐの画像記録面に影響を与えないようなものを適用することが可能である。
【００５５】
また、記録媒体Ｐとしては、普通紙、再生紙、光沢紙等の各種紙、各種布地、各種不織布、樹脂、金属、ガラス等の種々の材質からなる記録媒体Ｐが適用可能である。
【００５６】
その他、本発明が上記実施の形態に限らず適宜変更可能であるのは勿論である。
【図面の簡単な説明】
【００５７】
【図１】本発明に係る記録媒体巻取り装置の一実施形態の概略構成を模式的に示した側面図である。
【図２】本発明に係る記録媒体巻取り装置の一実施形態の制御構成の概略を示した要部ブロック図である。
【符号の説明】
【００５８】
１  記録媒体巻取り装置
２  画像記録装置
７  装置側壁
９  巻取りローラ
１２  補助材ローラ
１４  テンションローラ
１６  弛み検知センサ
１９  センサ移動機構
２１  トルク調節機構
Ｈ  補助材
Ｐ  記録媒体
Ｘ  搬送方向
【図１】
2005212916.tif 000003
【図２】
2005212916.tif 000004